(57)【要約】【課題】冷温パターン表示体の交換作業を容易に行うことができるようにする。【解決手段】ディスプレイ台を商品見本の載置台１１と固定部材１２に分割して載置台１１を固定部材１２に着脱自在とする。商品見本に対応する冷温状態を表す冷温パターンが表示された冷温パターン表示体１２０を無端状に形成し、この冷温パターン表示体１２０を前記載置台１１にその左右両端で折り返して架け渡して装着し、載置台１１を固定部材１２に取付けてディスプレイ台を構成する。冷温パターン表示体１２０は載置台１１の前面に装着される価格表示体１４０の開口１４０ｃから指で周回送りされることにより切り替えられる。前記冷温パターン表示体１２０の交換は固定部材１２から載置台１１を取り外し、載置台１１から冷温パターン表示体１２０を取外して新たな冷温パターン表示体を装着する。【選択図】図１
2007293237.tif 000002
【特許請求の範囲】
【請求項１】
庫内に収納された商品を温蔵，冷蔵状態に保存して販売する自動販売機であって、ディスプレイ台上に左右に並べて一列に載置された複数の商品見本に対応して冷温パターンを表示する自動販売機の冷温表示装置において、
前記ディスプレイ台を前記複数の商品見本を載置する載置台とこの載置台を保持する固定部材とに分割し、前記載置台を固定部材に対して着脱自在に設け、
ディスプレイ台に載置された一列分の商品見本に対応した冷温パターンがそれぞれ表示された無端の冷温パターン表示体を設け、
前記ディスプレイ台を構成する載置台に載置された一列分の商品見本に対応した冷温パターンがディスプレイ台の前面に表示されるように前記冷温パターン表示体を前記ディスプレイ台を構成する載置台にその左右両端で折り返して掛け渡し、前記ディスプレイ台の前面から前記冷温パターン表示体を手動操作することを特徴とする自動販売機の冷温表示装置。
【請求項２】
ディスプレイ台における載置台はその左右両端部に冷温パターン表示体の内周に当接するガイド部材を有することを特徴とする請求項１に記載の自動販売機の冷温表示装置。
【請求項３】
ディスプレイ台における固定部材は断面コ字形に形成され、前面側脚片の冷温パターン表示体と対向する位置に冷温パターン表示体を周回させる際の逃げ部となる段差部を有することを特徴とする請求項２に記載の自動販売機の冷温表示装置。
【請求項４】
ディスプレイ台の前面に表示された冷温表示パターンに重ねてディスプレイ台に載置された一列分の商品見本に対応した価格が表示された価格表示体を有することを特徴とする請求項１に記載の自動販売機の冷温表示装置。
【請求項５】
価格表示体は冷温パターン表示体の幅と略同一に形成され、価格表示部を除く少なくとも一部に開口を有することを特徴とする請求項４に記載の自動販売機の冷温表示装置。
【請求項６】
価格表示体の開口は複数の冷温パターンに跨る大きさに形成したことを特徴とする請求項２に記載の自動販売機の冷温表示装置。
【発明の詳細な説明】
【技術分野】
【０００１】
この発明は、自動販売機における本体キャビネットの庫内に缶，瓶，ペットボトルなどの商品を冷蔵，温蔵状態に区分して保存し、外扉のディスプレイ室内に設置したディスプレイ台上に複数の商品見本を左右に並べて展示し、該商品見本に対応して商品の冷温状態を表示する冷温表示装置に関するものである。
【背景技術】
【０００２】
この種の自動販売機の冷温表示装置として無端の冷温パターン表示体をディスプレイ台に掛け渡して設け、前記冷温パターン表示体を手動操作するものが知られている（例えば、特許文献１）。この装置について図７〜図１３を用いて説明する。
図７は一般的な缶，ペットボトルを販売する自動販売機の斜視図である。図に示すように、この自動販売機は、前面が開放した断熱筐体として形成された本体キャビネット１０と、本体キャビネット１０の前面に開閉可能に支持された外扉２０とからなる。本体キャビネット１０の商品収納庫の前面は開閉可能な断熱内扉３０によって閉塞されている。本体キャビネット１０の庫内には、断熱仕切壁により左右方向に複数の商品収納室に区分され、各商品収納室は、例えば、缶、瓶、ペットボトルなどの商品を収納した商品ラックが収設され、また、各商品収納室の下部には、当該各商品収納室を冷却もしくは加熱して商品ラックに収納した商品を冷蔵・温蔵状態に保存する冷却／加熱ユニットが配設されている。
【０００３】
外扉２０の前面の上部域は透明板４０で覆われ、この透明板４０と外扉２０に開閉可能に支持された中扉６０との間の空間がディスプレイ室５０として形成されている。前記中扉６０の前面には、本体キャビネット１０の庫内に収納した商品に対応した複数の商品見本８０を左右に一列に並べて載置したディスプレイ台７０が上下方向に３段取付けられている。前記透明板４０には、各ディスプレイ台７０と対峙する位置に商品選択ボタンユニット９０が設けられ、商品選択ボタンユニット９０は、ディスプレイ台７０に載置された各商品見本８０に対応して左右に一列に並べて設けた商品選択ボタン９０ａを有している（図９参照）。さらに外扉２０の前面には、硬貨投入部２１の投入口、紙幣投入部２２の投入口、釣銭返却部２３の返却口、商品取出部２４の取出口に加え、不図示の返却レバーおよびロック付ハンドルなどが設けられている。
【０００４】
図８はディスプレイ台を示す分解斜視図である。ディスプレイ台７０は、商品見本８０を載置する載置台７１と、この載置台７１が組付けられる固定部材７２とからなる。前記載置台７１は上面部７１１、この上面部７１１の両端から下方に延在された左右側壁７１２，７１２、前面の左右両端に形成したカバー部材７１３とからなり、前記上面部７１１には不図示の係合穴が左右方向に複数個並設され、それぞれの係合穴に商品見本８０が嵌合保持される。また、前記載置台７１の左右側壁７１２，７１２にはそれぞれ内側に向かって突出するピン７３が取付けられている。
前記載置台７１とともにディスプレイ台７０を構成する固定部材７２は、前面部７２１、上面部７２２および後面部７２３を有して下方が開放する断面略コ字形に形成されるとともに左右両端に上面部７２２と後面部７２３に接続された左右側壁７２４，７２４を有している。このように固定部材７２は下方が開放する横長の箱形に形成されている。この固定部材７２の前面部７２１には各商品見本８０に対応して複数の透光穴７４が設けられ、前記上面部７２２は略全域にわたって開口しており、当該開口の中央２箇所に補強のための桟７２２ａ，７２２ａが形成されている。また、固定部材７２の左右側壁７２４，７２４には上面部７２２に向けて一部が開放した異形溝７５が形成されている。この異形溝７５の開放部は載置台７１の左右側壁７１２，７１２に取付けられたピン７３が通過可能な大きさに形成されており、前記固定部材７２の上方から載置台７１を組付ける際、異形溝７５の開放部を通してピン７３が挿入される。
【０００５】
前記固定部材７２の後面部７２３には、図９に示すように、左右２個の係止片７２３ａが形成され、この係止片７２３ａは中扉６０に設けた穴（不図示）に挿通係止される。これにより、固定部材７２が中扉６０に取付けられる。また、後面部７２３の内壁側には２段に折り曲げられ、ディスプレイ台７０の左右方向に延在したガイド部７２３ｂが設けられている。そして、図９に示すように、固定部材７２の前面部７２１の下端は前方側に折り曲げて形成したガイド部７２１ａが設けられている。また、図８および図９に示すように、前面部７２１、上面部７２２および後面部７２３に囲まれたディスプレイ台７０の箱内には、左右方向に沿って蛍光灯１３（図では一点鎖線で示す）が設けてある。蛍光灯１３は、ディスプレイ台７０の固定部材７２に固定した左右一対の各ソケット（図示せず）に装着されている。
【０００６】
ディスプレイ台７０の箱内には、商品見本８０の冷温状態を表す冷温パターン表示体１２０が収設されている。この冷温パターン表示体１２０は、図１０の斜視図に示すように、透光性フィルムからなる無端の帯状体として形成されている。冷温パターン表示体１２０の外面における周方向に沿った上方域には、自動販売機の商品収納室（図示せず）に収納した商品の冷蔵・温蔵状態を表す冷温パターン１２０ａが施してある。商品の冷蔵状態を表す冷温パターン１２０ａは、１パターンの単位として白抜きの文字（例えば「つめた〜い」）の背景に寒色の背景色（例えば青色）が印刷されている。また、商品の温蔵状態をあらわす冷温パターン１２０ａは、１パターンの単位として白抜きの文字（例えば「あったか〜い」）の背景に暖色の背景色（例えば赤色）が印刷されてある。なお、冷温状態をあらわす複数の冷温パターン１２０ａと、温蔵状態をあらわす複数の冷温パターン１２０ａとが図１０中に一点鎖線で示す境目１２０ｂを境にして無端状の帯状体の周方向の略半周分ずつ施してある。
【０００７】
図８および図９に示すように、冷温パターン表示体１２０は、ディスプレイ台７０を構成する固定部材７２の前面部７２１の前側および後面部７２３の前側を通るように固定部材７２の左右端で折り返して掛け渡されている。この冷温パターン表示体１２０は固定部材７２の下部側から固定部材７２に装着される。この場合、固定部材７２の前面部７２１の両端と左右側壁７２４，７２４との間には隙間７２１ｂが形成されており、その隙間７２１ｂを通して冷温パターン表示体１２０は固定部材７２に装着され、その装着状態において冷温パターン表示体１２０の前方側が固定部材７２の前面部７２１の下端に設けたガイド部７２１ａにより支持され、また、冷温パターン表示体１２０の後方側が固定部材７２の上面部７２２の下面と後面部７２３に設けたガイド部７２３ｂとの間に支持される。また、冷温パターン表示体１２０は固定部材７２の左右端で折り返して配設されるため、蛍光灯１３のソケットは前記隙間７２１ｂよりも内側に取付けられている。さらに、固定部材７２の前面部７２１の両端と左右側壁７２４，７２４との間に形成された隙間７２１ｂは、固定部材７２に載置台７１を組付けた際に載置台７１のカバー部材７１３によって覆われ、その隙間７２１ｂが自動販売機の前面から見えないようにされている。
前述のように固定部材７２に装着された冷温パターン表示体１２０において、固定部材７２の前面部７２１の前側を通る略半周分の冷温パターン表示体１２０の各冷温パターン１２０ａは、前面部７２１に設けた各透光穴７４の位置に対応する。これにより、冷温パターン表示体１２０の冷温パターン１２０ａは載置台７１に載置した各商品見本８０に対応して、各商品見本８０の商品の冷蔵・温蔵状態を表すことになる。この際、ディスプレイ台７０の箱内にある蛍光灯１３の光が透光穴７４を介して透光性フィルムからなる冷温パターン表示体１２０を透過することで冷温パターン１２０ａの文字および背景色が明るく表示される。
【０００８】
さらに、ディスプレイ台７０には、商品の価格情報を表示する価格表示体１４０が設けられている。価格表示体１４０は、図１１の正面図で示すように、固定部材７２の前面部７２１の左右方向に沿うように横長で、冷温パターン表示体１２０の幅に略一致する幅の短冊状に形成された光透過板からなり、その前面の下方域には商品の価格情報を表す価格パターン１４０ａ（例えば「￥１２０」の文字）が印刷してある。この価格パターン１４０ａは、その左右方向にディスプレイ台７０に載置した商品見本８０に対応するように複数個設けられている。なお、価格表示体１４０の前面には、価格パターン１４０ａの「￥１２０」の文字の左右両側に縦線からなる区画パターン１４０ｂが印刷されている。この区画パターン１４０ｂは、価格表示体１４０をなす光透過板の面を左右複数個に区画している。区画パターン１４０ｂで囲まれて価格パターン１４０ａを有する透明領域は、ディスプレイ台７０の前面部７２１に設けた各透光穴７４に重なるように形成されている。また、価格表示体１４０には開口部１４０ｃが形成されており、この開口部１４０ｃは後述するように冷温パターン表示体１２０を手動で回動させる際に利用されるものである。
【０００９】
前記価格表示体１４０は、図９に示すように、ディスプレイ台７０における固定部材７２の前面部７２１のガイド部７２１ａに装着され、冷温パターン表示体１２０の前面を覆っている。また、価格表示体１４０の区画パターン１４０ｂにより囲まれた透明領域が前面部７２１の各透光穴７４に重ねて配置されることにより、価格表示体１４０は各透光穴７４の位置に対応した冷温パターン表示体１２０の冷温パターン１２０ａを透過するとともに、その冷温パターン１２０ａの下位置に価格パターン１４０ａを表示する。
【００１０】
次に、前記固定部材７２の左右側壁７２４，７２４に形成された異形溝７５の形状を図１２に示す。図１２は固定部材７２の右側面図であり、固定部材の右側壁７２４には、上面部７２２に向けて一部が開放した異形溝７５が形成されている。ここで、異形溝７５は、載置台７１の左右側壁７１２に取付けたピン７３を回転可能に軸支する前半域の円弧状溝部７５ａと、該円弧状溝部７５ａに連ねて後半域に形成したスライド溝部７５ｂと、前記円弧状溝部７５ａとスライド溝部７５ｂとの中間位置から固定部材７２の上面部７２２との間に切欠き開口したピン７３の挿脱溝部７５ｃとを組合せた形状になる。前記挿脱溝部７５ｃの上端は固定部材７２の上面部７２２に切り込みを入れて下方に折り曲げた保護片７２５により開口されており、当該開口を通してピン７３が挿脱される。前記保護片７２５は固定部材７２の左右端から折り返して配設された冷温パターン表示体１２０の外側に位置しており、異形溝７５の挿脱溝部７５ｃを介してピン７３を挿脱する際、当該ピン７３が冷温パターン表示体１２０に接触して冷温パターン表示体１２０を傷付けたり、切断してしまうのを防止する。
【００１１】
次に、図８に示すディスプレイ台７０の自動販売機のディスプレイ室５０（図７参照）への取付けについて説明する。まず、固定部材７２に冷温パターン表示体１２０、価格表示体１４０及び蛍光灯１３を装着した後、図９に示すように、固定部材７２の後面部７２３に形成された係止片７２３ａを中扉６０に設けた穴（不図示）に挿入して固定部材７２を中扉６０に係止する。そして、中扉６０に固定された固定部材７２に載置台７１を次のように装着する。すなわち、載置台７１の左右側壁７１２に設けたピン７３が固定部材７２の左右側壁７２４に形成した異形溝７５の挿脱溝部７５ｃに対峙するように載置台７１を固定部材７２の上方から被せる。そして、載置台７１の左右側壁７１２に設けたピン７３を当該挿脱溝部７５ｃを通して異形溝７５に挿入し、前記ピン７３が異形溝７５のスライド溝部７５ｂに係合するように載置台７１を後方に向けてスライドさせる。前記ピン７３が固定部材７２の異形溝７５のスライド溝部７５ｂに係合するとピン７３が挿脱溝部７５ｃから抜け出るのが阻止され、この状態で載置台７１が固定部材７２に固定されてディスプレイ台７０が形成される。
【００１２】
次に、前述したように中扉６０に固定された固定部材７２に載置台７１を組付けて形成されたディスプレイ台７０における冷温パターンの切り替えについて説明する。冷温パターンの切り替えは、自動販売機の外扉２０を開放した後、外扉２０に閉扉状態にロックされた中扉６０を開放してディスプレイ台７０の前面を露出させる。そして、ディスプレイ台７０に装着された価格表示体１４０の開口部１４０ｃ（図１１参照）に指を当て、当該開口部１４０ｃを介して冷温パターン表示体１２０を左右方向に周回させる。ここで、冷温パターン表示体１２０は、図９に示すように、固定部材７２のガイド部７２１ａおよびガイド部７２３ｂに保持されてフリーな状態にあるため、価格表示体１４０の開口部１４０ｃを介して指により容易に周回させることができる。このように、指で冷温パターン表示体１２０を周回させることにより冷温パターン表示体１２０の冷温パターン１２０ａが周回送り方向に移動して商品の商品見本８０に対応した冷温パターン表示体１２０の冷温パターン１２０ａが切り替えられる。なお、冷温パターン表示体１２０はフリーな状態で固定部材７２に装着されているが、冷温パターン表示体１２０が比較的長い帯状であることから振動などにより冷温パターン表示体１２０が周回することはない。
【００１３】
【特許文献１】特開２００５−２９３４５７号公報
【発明の開示】
【発明が解決しようとする課題】
【００１４】
ところで、従来の自動販売機の冷温表示装置においては冷温パターン表示体１２０がディスプレイ台７０を構成し、中扉６０に固着される固定部材７２に掛け渡して設けられている。これは冷温パターン表示体１２０のように周回する部材は固定された部材に装着するという設計思想のもとに中扉６０に固定した固定部材７２に装着するように設計されているためである。このように、冷温パターン表示体１２０がディスプレイ台７０を構成する固定部材７２に掛け渡して設けられていることから次のような問題を有する。
その第１は冷温パターン表示体１２０の交換作業が困難なことである。これは、固定部材７２の内部には蛍光灯１３が配設され、この蛍光灯１３を保持する左右一対のソケットの取付金具が中扉６０に固着されていることから前記ソケットの取付金具を取り外して冷温パターン表示体１２０を交換するか、前記ソケットの取付金具を取り外さない場合には、固定部材７２の箱内で冷温パターン表示体１２０をソケット（蛍光灯１３）と固定部材７２の上面部７２２の間を潜らせて交換しなければならない。したがって、冷温パターン表示体１２０の交換作業が煩雑で手間がかかるという問題を有する。
そして第２にはディスプレイ台７０の背後の清掃や載置台７１に載置された商品見本８０を交換する作業の際に冷温パターン表示体１２０が破損するおそれがあることである。これはディスプレイ台７０の背後の清掃や載置台７１に載置された商品見本８０を交換するために載置台７１を前傾姿勢に傾倒させる際、載置台７１の左右側壁７１２には内方に向かって突出するようにピン７３（回転軸）が設けられており、このピン７３（回転軸）が冷温パターン表示体１２０に引っ掛かると、冷温パターン表示体１２０に傷が付いたり破損してしまうおそれがある。これは、載置台７１を固定部材７２から着脱する際にも生じる問題である。
【００１５】
本発明は上記の点に鑑みなされたものであり、その目的は前記課題を解決し、冷温パターン表示体の交換作業を容易に行うことが可能な自動販売機の冷温表示装置を提供することにある。
【課題を解決するための手段】
【００１６】
上記目的を達成するために本発明によれば、庫内に収納された商品を温蔵，冷蔵状態に保存して販売する自動販売機であって、ディスプレイ台上に左右に並べて一列に載置された複数の商品見本に対応して冷温パターンを表示する自動販売機の冷温表示装置において、前記ディスプレイ台を前記複数の商品見本を載置する載置台とこの載置台を保持する固定部材とに分割し、前記載置台を固定部材に対して着脱自在に設け、ディスプレイ台に載置された一列分の商品見本に対応した冷温パターンがそれぞれ表示された無端の冷温パターン表示体を設け、前記ディスプレイ台を構成する載置台に載置された一列分の商品見本に対応した冷温パターンがディスプレイ台の前面に表示されるように前記冷温パターン表示体を前記ディスプレイ台を構成する載置台にその左右両端で折り返して掛け渡し、前記ディスプレイ台の前面から前記冷温パターン表示体を手動操作することを特徴とする（請求項１）。
【００１７】
また、本発明によれば、ディスプレイ台における載置台はその左右両端部に冷温パターン表示体の内周に当接するガイド部材を設けることができ（請求項２）、さらに、ディスプレイ台における固定部材を断面コ字形に形成し、前面側脚片の冷温パターン表示体と対向する位置に冷温パターン表示体を周回させる際の逃げ部となる段差部を形成することができる（請求項３）。
【００１８】
そしてまた、本発明によれば、ディスプレイ台の前面に表示された冷温表示パターンに重ねてディスプレイ台に載置された一列分の商品見本に対応した価格が表示された価格表示体を設けることができ（請求項４）、この場合、前記価格表示体は冷温パターン表示体の幅と略同一に形成され、価格表示部を除く少なくとも一部に開口を設けることができ（請求項５）、また、前記開口を複数の冷温パターンに跨る大きさとすることができる（請求項６）。
【発明の効果】
【００１９】
前述したように構成された請求項１に記載した発明によれば、ディスプレイ台の前面に露出した冷温パターン表示体を手動操作することによってディスプレイ台に載置された一列分の商品見本に対応した冷温パターを一括して切り替えることができ、また、冷温パターン表示体はディスプレイ台を利用してそのディスプレイ台にフリー状態で架け渡して保持しておくのみでよく、また、ディスプレイ台を構成する固定部材が載置台の左右両端を支持する部材のみでよいことから部品点数を削減できるのでコストの低減を図ることができるという効果を維持しつつ、冷温パターン表示体の交換を容易に行うことができるので保守・点検の作業性が向上するという効果を有する。
また、請求項２、３に記載した発明によれば、冷温パターン表示体をスムーズに周回させることができる。
また、請求項４に記載した発明によれば、価格表示体が冷温パターン表示体の脱落を防止する部材として兼用され、請求項５に記載した発明によれば、価格表示体の前方から冷温パターン表示体を手動操作して周回送りすることができ、請求項６に記載した発明によれば、冷温パターン表示体の周回送りを一気呵成に行うことができる。
【発明を実施するための最良の形態】
【００２０】
以下、本発明の実施の形態を図１〜図３に示す実施例に基づいて説明する。なお、実施例の図中で図７〜図１３に対応する部材には同じ符号を付してその説明は省略する。
図１はディスプレイ台を示す分解斜視図である。ディスプレイ台１は、商品見本を載置する載置台１１と、この載置台１１が上方から被さるように組付けられる固定部材１２とからなる。前記載置台１１は上面部１１１と、この上面部１１１の両端から下方に延在された左右側壁１１２，１１２と、前面部１１３および後面部１１４（図３参照）を有して下方が開放する横断面略コ字形に形成されている。前記上面部１１１には係合穴１Ａが左右方向に複数、この例では１２個並設され、それぞれの係合穴１Ａに商品見本が嵌合保持される。また、前記載置台１１の左右側壁１１２，１１２には従来装置と同様にそれぞれ内側に向かって突出するピン７３が取付けられている。さらに、前記載置台１１の前面部１１３には各商品見本に対応して複数、この例では１２個の透光穴１１Ａが設けられ、そして、この前面部１１３の下端には、図３の断面図に示すように、前方側に折り曲げて形成したガイド部１１３ａが長手方向に延在して設けられている。一方、載置台１１の後面部１１４にも前方側に折り曲げて形成したガイド部１１４ａが設けられている。このガイド部１１４ａもガイド部１１３ａと同様に載置台１１の長手方向に延在して形成されている。
【００２１】
前記載置台１１とともにディスプレイ台１を構成する左右一対の固定部材１２は平面断面が略コ字形に形成され、この固定部材１２には、従来装置と同様に、上面に向けて一部が開放した異形溝１２ａが形成されている。この異形溝１２ａの開放部は載置台１１の左右側壁１１２，１１２に取付けられたピン７３が通過可能な大きさに形成されており、前記固定部材１２の上方から固定部材１２に被せるように載置台１１を組付ける際、異形溝１２ａの開放部を通してピン７３が異形溝１２ａ内に挿入される。この左右一対の固定部材１２は図８に示す従来の固定部材７２の左右側壁７２４に相当する部材であり、従来の固定部材７２に対して大幅にコストダウンを図ることができ、また、従来の固定部材７２の上面部７２２は桟７２２ａを残して開口されていることから歩留まりが悪いのに比して歩留まりの点でも優れている。
【００２２】
前記横断面コ字形の固定部材１２における後方側の脚片には、図３に示すように、切り起こしにより形成した複数、この例では上下２個の係止片１２１が形成され、この係止片１２１は中扉６０（図７参照）に設けた穴（不図示）に挿通係止される。これにより、固定部材１２が中扉６０に取付けられる。この固定部材１２の中扉６０への係止方法と同様な方法により蛍光灯１３が装着されるソケットを有する左右一対の蛍光灯取付金具１４が中扉６０に係止される。すなわち、左右一対の蛍光灯取付金具１４の脚片１４１には左右方向に切り起こされた２個の係止片１４２（図３では手前の係止片１４２が示され、もう一つの後方側の係止片は手前側の係止片１４２に隠れて見えない）が形成され、これらの係止片１４２に対応して設けた中扉６０の穴（不図示）に挿通係止される。
【００２３】
ディスプレイ台１を構成する載置台１１には、商品見本の冷温状態を表す冷温パターン表示体１２０が収設される。この冷温パターン表示体１２０は透光性フィルムからなる無端の帯状体として形成されている。この冷温パターン表示体１２０は従来装置と同様に形成され、これを図１０を参照して説明すれば、その外面における周方向に沿った上方域には、自動販売機の商品収納室（図示せず）に収納した商品の冷蔵・温蔵状態を表す冷温パターン１２０ａが施してある。商品の冷蔵状態を表す冷温パターン１２０ａは、１パターンの単位として白抜きの文字（例えば「つめた〜い」）の背景に寒色の背景色（例えば青色）が印刷されている。また、商品の温蔵状態をあらわす冷温パターン１２０ａは、１パターンの単位として白抜きの文字（例えば「あったか〜い」）の背景に暖色の背景色（例えば赤色）が印刷されてある。なお、冷温状態をあらわす複数の冷温パターン１２０ａと、温蔵状態をあらわす複数の冷温パターン１２０ａとが図１０中に一点鎖線で示す境目１２０ｂを境にして無端状の帯状体における周方向の略半周分ずつ施してある。なお、図１０に示した従来装置では冷温パターン１２０ａが冷温パターン表示体１２０の上方域に印刷されているが、この実施例の場合には後述する価格表示体１４０との関係で下方域に印刷されているものである。
【００２４】
前記冷温パターン表示体１２０は、図３に示すように、ディスプレイ台１を構成する載置台１１の前面部１１３の前側および後面部１１４の前側を通るように載置台１１の左右端で折り返して掛け渡される。すなわち、冷温パターン表示体１２０は下方が開放する横断面略コ字形に形成された載置台１１の下方側から載置台１１に装着される。この場合、載置台１１の前面部１１３の両端と左右側壁１１２，１１２との間には隙間Ｇ（図１参照）が形成されており、その隙間Ｇを通して冷温パターン表示体１２０は載置台１１に装着され、その装着状態において冷温パターン表示体１２０の前方側が載置台１１の前面部１１３の下端に設けたガイド部１１３ａにより支持され、また、冷温パターン表示体１２０の後方側が載置台１１の上面部１１１の下面と後面部１１４に設けたガイド部１１４ａとの間に支持される。また、冷温パターン表示体１２０は載置台１１の左右端で折り返して配設されるため、蛍光灯１３が取付けられるソケットを有する蛍光灯取付金具１４は前記隙間Ｇよりも内側に取付けられている。なお、載置台１１の前面部１１３の両端と左右側壁１１２，１１２との間に形成された隙間Ｇは、後述する価格表示体１４０によって覆われる。
【００２５】
前述のように載置台１１に装着された冷温パターン表示体１２０において、載置台１１の前面部１１３の前側を通る略半周分の冷温パターン表示体１２０の各冷温パターン１２０ａは、前面部１１３に設けた各透光穴１１Ａの位置に対応する。これにより、冷温パターン表示体１２０の冷温パターン１２０ａは載置台１１に載置される各商品見本に対応して商品の冷蔵・温蔵状態を表すことになる。この際、ディスプレイ台１の箱内にある蛍光灯１３の光が透光穴１１Ａを介して透光性フィルムからなる冷温パターン表示体１２０を透過することで冷温パターン１２０ａの文字および背景色が明るく表示される。なお、蛍光灯１３の光は載置台１１の上面部１１１の係合穴を通して商品見本の内部に導入され、光透過材からなる商品見本を内側から照明して商品見本を発光させる。
【００２６】
さらに、ディスプレイ台１には、商品の価格情報を表示する価格表示体１４０が設けられている。価格表示体１４０は載置台１１の前面部１１３の左右方向に沿うように横長で、冷温パターン表示体１２０の幅に略一致する幅の短冊状に形成された光透過板からなり、その前面の上方域には商品の価格情報を表す価格パターン１４０ａ（例えば「￥１２０」の文字）が印刷してあり、下方域には開口１４０ｃが形成されており、この開口１４０ｃから冷温パターン表示体１２０の冷温パターン１２０ａが表示される。前記価格パターン１４０ａは、その左右方向にディスプレイ台１０に載置した商品見本に対応するように複数、この例では１２個設けてある。なお、価格表示体１４０の前面には、従来装置と同様に、価格パターン１４０ａの「￥１２０」の文字の左右両側に縦線からなる区画パターン１４０ｂが印刷されている。この区画パターン１４０ｂは、価格表示体１４０をなす光透過板の面を左右複数、この例では１２個に区画している。区画パターン１４０ｃで囲まれた価格パターン１４０ａと開口１４０ｃの領域は、載置台１１の前面部１１３に設けた各透光穴１１Ａに重なるように形成されている。
【００２７】
前記価格表示体１４０は、図３に示すように、ディスプレイ台１における載置台１１の前面部１１３のガイド部１１３ａにその下端を挿入することにより、載置台１１の前面部１１３に沿うように装着される。そして、価格表示体１４０は冷温パターン表示体１２０の前面に位置して当該冷温パターン表示体１２０を保護している。また、価格表示体１４０の区画パターン１４０ｂにより囲まれた透明領域が載置台１１の前面部１１３の各透光穴１１Ａに重ねて配置されることにより、価格表示体１４０は各透光穴１１Ａの位置に対応した冷温パターン表示体１２０の冷温パターン１２０ａを透過するとともに、その冷温パターン１２０ａの上位置に価格パターン１４０ａを表示する。
【００２８】
次に、図１に示すディスプレイ台１の自動販売機のディスプレイ室５０（図７参照）への取付けについて説明する。まず、載置台１１に冷温パターン表示体１２０および価格表示体１４０を装着して載置台１１に冷温パターン表示体１２０および価格表示体１４０を組み付けておく。すなわち、下方が開放する横断面略コ字形に形成された載置台１１の下方側から冷温パターン表示体１２０を組み付ける。この場合、無端の冷温パターン表示体１２０の前方側が載置台１１における前面部１１３のガイド部１１３ａに案内され、冷温パターン表示体１２０の後方側が載置台１１における後面部１１４のガイド部１１４ａに案内され、そして、冷温パターン表示体１２０が載置台１１の前面部１１３の両端と左右側壁１１２，１１２との間に形成された隙間Ｇを通って周回するように組み付ける。そして、載置台１１における前面部１１３のガイド部１１３ａに案内される冷温パターン表示体１２０の前面に価格表示体１４０を装着して載置台アセンブリーを構成しておく。
【００２９】
次に、中扉６０に左右一対の固定部材１２を取付ける。この取付けは、左右一対の固定部材１２における後方側の脚片に形成された係止片１２１を中扉６０に設けた穴（不図示）に挿入して係止することにより行われる。同様に、左右一対の蛍光灯取付金具１４が、その脚片１４１に形成された係止片１４２を中扉６０の穴（不図示）に挿通して係止される。前述のようにして中扉６０に固定された固定部材１２に載置台１１を装着する。この装着方法は従来と同様であり、載置台１１の左右側壁１１２に設けたピン７３を固定部材１２に形成した異形溝１２ａの上面に向けて一部が開放した開放部に対峙するように載置台１１を固定部材１２にその上方から被せる。そして、載置台１１の左右側壁１１２に設けたピン７３を当該開放部を通して異形溝１２ａに挿入することにより、図２に示すように、載置台１１が固定部材１２に一体化されてディスプレイ台１が形成される。なお、載置台１１には予め商品見本を取付けていてもよく、また、載置台１１を固定部材１２に装着した後に商品見本を取付けてもよいものである。
【００３０】
次に、前述したように中扉６０に固定された固定部材１２に載置台１１を組付けて形成されたディスプレイ台１における冷温パターンの切り替えについて説明する。冷温パターンの切り替えは、自動販売機の外扉２０（図７参照）を開放した後、外扉２０に閉扉状態にロックされた中扉６０を開放してディスプレイ台１の前面を露出させる。そして、ディスプレイ台１に装着された価格表示体１４０のいずれかの開口１４０ｃ（図１参照）に指を当て、当該開口部１４０ｃを介して冷温パターン表示体１２０を左右方向に周回させる。ここで、冷温パターン表示体１２０は、図３に示すように、載置台１１の前面部１１３におけるガイド部１１３ａおよび後面部１１４におけるガイド部１１４ａに保持されてフリーな状態にあるため、価格表示体１４０の開口１４０ｃを介して指により容易に周回させることができる。このように、指で冷温パターン表示体１２０を周回させることにより冷温パターン表示体１２０の冷温パターン１２０ａが周回送り方向に移動して商品見本に対応した冷温パターン表示体１２０の冷温パターン１２０ａが切り替えられる。
【００３１】
次に、冷温パターン表示体１２０の交換について説明する。この冷温パターン表示体１２０の交換は、自動販売機の外扉２０を開放した後、外扉２０に閉扉状態にロックされた中扉６０を開放してディスプレイ台１の前面を露出させる。そして、ディスプレイ台１として組付けられた載置台１１を固定部材１２から取り外す。この取り外しは、載置台１１の左右側壁１１２に設けたピン７３を固定部材１２に形成した異形溝１２ａの上方に開放した開放部を介して異形溝１２ａから離脱させることにより行うことができる。載置台１１を固定部材１２から取り外すと載置台１１の下方が開放されるので、載置台１１への冷温パターン表示体１２０の取付けと逆の手順で載置台１１から冷温パターン表示体１２０を取り外すことができる。なお、載置台１１から冷温パターン表示体１２０の取り外しに先立って価格表示体１４０を取り外しておくことは言うまでもない。
【００３２】
次に、本発明の異なる実施の形態を図４（ａ）（ｂ）に示す実施例に基づいて説明する。図４はディスプレイ台１の右端側を拡大して示し、（ａ）は載置台１１を固定部材１２に組付けた状態の斜視図、（ｂ）は固定部材１２の斜視図であり、図１〜図３に示す実施の形態と同一又は同一の機能を有するものには同一の符号を付してその説明は省略する。なお、図４では図解し易くするため、価格表示体１４０は一点鎖線で示し、冷温パターン表示体１２０の冷温パターンの文字は省略している。
図４において、１１で再び載置台を示し、この載置台１１の上面部１１１における右端の略中央には切り起しによりガイド片１５０が形成されるとともに後方側にガイド棒１５１が形成されている。このガイド片１５０またはガイド棒１５１が請求項２のガイド部材を構成する。前記ガイド棒１５１はプラスチックにより形成され、載置台１１の上面部１１１に開けられた穴（図ではガイド棒１５１に隠れて見えない）に上方から差し込まれて固着されている。前記ガイド片１５０およびガイド棒１５１は載置台１１に左右で折り返して架け渡された冷温パターン表示体１２０の内周壁に摺接するように配置位置が定められるとともにその長さ寸法が定められ、冷温パターン表示体１２０が周回する際にその右端が湾曲状態を維持して周回するように冷温パターン表示体１２０を案内するものである。図では示していないが、載置台１１の左端側にもガイド片１５０と同様なガイド片が切り起しにより形成され、また、ガイド棒１５１と同様なガイド棒が設けられている。
【００３３】
平面断面が略コ字形に形成された固定部材１２は、図４（ｂ）に示すように、前方側の脚片の上部側を切り欠いて段差部１２ｂを形成している。この段差部１２ｂは冷温パターン表示体１２０を周回させる際の冷温パターン表示体１２０の逃げ部として形成されている。すなわち、冷温パターン表示体１２０は載置台１１への取付けや交換作業を容易に行うことができるように遊びをもって載置台１１に装着されていることから、価格表示体１４０の開口１４０ｃ（図１参照）から冷温パターン表示体１２０に指を当てて周回（例えば、右方向）させる際、冷温パターン表示体１２０の右端側では載置台１１の前面側から後面側に回り込もうとする箇所において引き込み量よりも押し込み量が多くなって冷温パターン表示体１２０の周回軌道が外側に膨らんでしまう現象が起きる。このため、固定部材１２に段差部１２ｂがない場合には外側に膨らんだ冷温パターン表示体１２０が固定部材１２の脚片に衝突してしまい、これによって冷温パターン表示体１２０が変形してスムーズに周回することが妨げられたり、冷温パターン表示体１２０に傷がついたりするおそれがある。かかる点、固定部材１２に段差部１２ｂを設けたことにより冷温パターン表示体１２０が周回軌道から外れて外側に膨らんだ場合にも段差部１２ｂの逃げによって冷温パターン表示体１２０が固定部材１２の脚片に邪魔されずに外側に膨らむことができる。したがって、冷温パターン表示体１２０の周回が固定部材１２によって邪魔されることがないので、冷温パターン表示体１２０の周回をスムーズに行うことができる。
【００３４】
なお、図４（ａ）における１Ｂは載置台１１の上面部１１１に塵埃が溜まるのを防止する塵埃溜まり防止穴、１１３ｂは載置台１１の前面部１１３の下端に設けたガイド部１１３ａに装着された価格表示体１４０の脱落を防止する脱落防止片、１２ｃは固定部材１２の前面側の脚片に設けられるとともに、商品選択ボタンユニット９０（図７）の取付金具と対峙する位置に配設されたプラスチック製のクランプである。前記脱落防止片１１３ｂは価格表示体１４０を保持することから価格表示体１４０をディスプレイ台１に装着することによって冷温パターン表示体１２０の脱落をより一層確実なものとすることができる。また、前記クランプ１２ｃは商品選択ボタン９０ａが強く押されて透明板４０が撓んだ際に商品選択ボタンユニット９０の取付金具と当接するように構成され、透明板４０の撓みを防止して商品選択ボタン９０ａの押圧操作が安定して行えるようにしている。
【００３５】
前述した図４に示す実施の形態においては、載置台１１の上面部１１１の左右両端に、載置台１１に左右で折り返して架け渡された冷温パターン表示体１２０の内周壁に摺接するように配置されたガイド片１５０およびガイド棒１５１を設けたことにより、冷温パターン表示体１２０を周回させる際に冷温パターン表示体１２０の左右両端が湾曲状態を維持して周回するように冷温パターン表示体１２０を案内することができるので、冷温パターン表示体１２０のスムーズな周回に寄与するものである。また、固定部材１２における前面側の脚片における上部側を切り欠いて段差部１２ｂを形成したことにより、冷温パターン表示体１２０を手動操作により周回させる際に冷温パターン表示体１２０が周回軌道から外れて外側に膨らんだ場合にも冷温パターン表示体１２０の外側への膨らみを逃がすことができ、これによって、冷温パターン表示体１２０の周回をスムーズに行うことができるものである。
なお、図４の実施形態においては載置台１１の上面部１１１における左右両端にガイド片１５０およびガイド棒１５１を設けたものについて説明したが、ガイド片１５０若しくはガイド棒１５１のいずれか一方のみを設けることによっても冷温パターン表示体１２０のスムーズな周回を行わせることができる。
【００３６】
次に、本発明の異なる実施の形態を図５（ａ）（ｂ）に示す変形例に基づいて説明する。図５はディスプレイ台１の右端側を拡大して示すものであり、図４に示す実施の形態と同一又は同一の機能を有するものには同一の符号を付してその説明は省略する。
図５（ａ）に示す変形例が図４に示す実施の形態と異なる点は、図４に示した実施の形態においては載置台１１の上面部１１１における左右両端にガイド片１５０およびガイド棒１５１を設けているのに対し、図５（ａ）の変形例では、図４のガイド棒１５１に代えて切り起しにより形成されたガイド片１５２を設けた点である。このようにガイド片１５２を設けた場合にはガイド片１５０およびガイド片１５２の両方を切り起しにより形成することができるので部品点数を削減できるものである。また、図５（ｂ）に示す変形例が図４に示す実施の形態と異なる点は、図４のガイド片１５０に代えてガイド棒１５１と同様なガイド棒１５３を設けた点である。この図５（ｂ）に示した変形例では次のような利点を有する。すなわち、図４に示したガイド片１５０は切り起しにより形成されることからガイド片１５０の周縁にはバリが発生する。このため、ガイド片１５０の場合にはバリ取り作業が必要となことから作業工数が増加してしまうのに対してガイド棒１５０，５１３の場合にはそのバリ取り作業を必要としないので作業工数を削減できるものである。
【００３７】
次に、本発明の異なる実施の形態を図６に示す実施例に基づいて説明する。図６は価格表示体１４０の斜視図であり、図１に示す実施の形態と同一又は同一の機能を有するものには同一の符号を付してその説明は省略する。
図６に示す価格表示体１４０が図１に示すものと異なる点は価格表示体１４０の左右両端に設けた開口１４０ｄの点である。すなわち、図１に示した価格表示体１４０が商品の価格情報を表す価格パターン１４０ａ（例えば「￥１２０」の文字）に対応して開口１４０ｃがそれぞれ形成（図１の例では１２個）されているのに対し、図６では複数個の価格パターン１４０ａに跨った開口１４０ｄを設けている。言い換えれば、図１の実施形態ではそれぞれの商品見本に対応する個別の冷温パターンごとに開口を形成していたのに対して図６の実施形態では価格表示体１４０の左右両端に複数の冷温パターンに跨って一個の開口１４０ｄを設けている。
【００３８】
前述した図６に示す実施形態によれば、複数の冷温パターンに跨る開口１４０ｄを設けたことによって冷温パターン表示体１２０（図１，２参照）の切り替えを一気呵成に行うことができる。つまり、冷温パターン表示体１２０の切り替えは開口１４０ｄから冷温パターン表示体１２０に指を押し当てて周回させるのであるが、図１，２に示すように価格表示体１４０の開口１４０ｃが商品見本ごとに開口されている場合、開口１４０ｃから冷温パターン表示体１２０に指を押し当てて冷温パターン表示体１２０を周回させる量は精精一つの冷温パターン分である。これは開口１４０ｃが区画パターン１４０ｂによって区切られていることから開口１４０ｃに指を押し当てて冷温パターン表示体１２０を周回させる途中で指が区画パターン１４０ｂに当接するからである。一方、自動販売機における冷蔵／温蔵兼用の商品収納庫は冬季期間には全ての商品を温蔵、夏季期間には全ての商品を冷蔵、その間の期間には温蔵と冷蔵の商品を半々に設定することが多く、このような場合には冷温パターン表示体１２０の切り替え量が冷温パターン表示体１２０を１／４周回させる量となる。したがって、図１，２の実施形態では開口１４０ｃから冷温パターン表示体１２０に指を押し当てて周回させる作業を繰り返し行う必要がある。
かかる点、図６の実施形態によれば、複数の冷温パターンに跨る開口１４０ｄによって冷温パターン表示体１２０を一気に周回させることができ、図示例のように開口１４０ｄが３個の商品見本に跨って形成されている場合には開口１４０ｄの左端から冷温パターン表示体１２０に指を押し当てて開口１４０ｄの右端まで移動操作すれば三パターン分を一気に周回させることができる。したがって、この実施の形態においては冷温パターン表示体１２０の切り替え操作を容易に行うことができるものである。
【００３９】
図６の実施の形態では複数の冷温パターンに跨る開口１４０ｄを設けたことから、図１の価格表示体１４０に示した区画パターン１４０ｂを印刷していないが、隣接する冷温パターン（若しくは価格パターン）の間の区画は価格表示体１４０を載置台１１に装着した際、載置台１１の透光穴１１Ａを形成する窓枠によって行われる。このように、前記窓枠が区画パターンの機能を果たすことから価格表示体１４０に区画パターンを印刷しなくても実用上の問題はないものである。
なお、図６の実施形態では価格表示体１４０の左右両端に複数の冷温パターンに跨る開口１４０ｄを設け、両開口１４０ｄの間には開口を形成していない例を説明したが、両開口１４０ｄの間に価格パターン１４０ａに対応して個別の開口を設けてもよく、また、中央にも複数の冷温パターンに跨る開口１４０ｄを形成してもよいものである。
【産業上の利用可能性】
【００４０】
この発明の自動販売機の冷温表示装置は、缶，瓶，ペットボトルなどの商品を冷蔵，温蔵状態に区分して保存し、外扉のディスプレイ室内に設置したディスプレイ台上に複数の商品見本を左右に並べて展示し、商品見本に対応する商品選択ボタンの操作により対応する商品を販売する自動販売機において、前記商品見本に対応して商品の冷温状態を表示するのに有用である。
【図面の簡単な説明】
【００４１】
【図１】本発明の実施の形態にかかる自動販売機の冷温表示装置におけるディスプレイ台を示す分解斜視図である。
【図２】図１におけるディスプレイ台の組立状態を示す外形斜視図
【図３】ディスプレイ台の側面断面を示す拡大図である。
【図４】本発明の異なる実施の形態におけるディスプレイ台の右端側の拡大図であり、（ａ）は載置台１１を固定部材１２に組付けた状態の斜視図、（ｂ）は固定部材１２の斜視図である。
【図５】図４におけるディスプレイ台の変形例を示し、（ａ）および（ｂ）はそれぞれ載置台の右端を示す斜視図である。
【図６】本発明の異なる実施の形態における価格表示体の正面図である。
【図７】本発明が対象とする自動販売機の一例を示す斜視図である。
【図８】従来装置におけるディスプレイ台を示す分解斜視図である。
【図９】図８におけるディスプレイ台の側面断面を示す拡大図である。
【図１０】図８における冷温パターン表示体を示す斜視図である。
【図１１】図８における価格表示体を示す正面図である。
【図１２】図８におけるディスプレイ台を構成する固定部材の右側面図である。
【図１３】図８におけるディスプレイ台の載置台を前傾姿勢に傾倒させた状態を示す右側面図である。
【符号の説明】
【００４２】
１    ディスプレイ台
１１    載置台
１２    固定部材
１２ａ    異形溝
１２ｂ    段差部
１４    蛍光灯取付金具
７３    ピン
１２０    冷温パターン表示体
１２０ａ    冷温パターン
１４０    価格表示体
１４０ａ    価格パターン
１４０ｄ    開口
１５０，１５２    ガイド片（ガイド部材）
１５１，１５３    ガイド棒（ガイド部材）
【図１】
2007293237.tif 000003
【図２】
2007293237.tif 000004
【図３】
2007293237.tif 000005
【図４】
2007293237.tif 000006
【図５】
2007293237.tif 000007
【図６】
2007293237.tif 000008
【図７】
2007293237.tif 000009
【図８】
2007293237.tif 000010
【図９】
2007293237.tif 000011
【図１０】
2007293237.tif 000012
【図１１】
2007293237.tif 000013
【図１２】
2007293237.tif 000014
【図１３】
2007293237.tif 000015